(57)【要約】【課題】  食品製造現場における衛生管理のために作業服の着用日数チェックを行うことができる作業服管理システムを提供する。【解決手段】  リーダ／ライタ１０１は作業者のＩＤと、着用日付リストをＩＤタグから読込んで出力し、コントローラ１０２はデータを読み込んで作業者のＩＤを出力する。管理パソコン１０３は作業者のＩＤの登録確認を行い、結果を出力する。コントローラ１０２は作業者のＩＤが登録済みの場合には今日の日付を出力し、リーダ／ライタ１０１は今日の日付を入力してＩＤタグの着用日付リストに追加して書き込む。リーダ／ライタ１０４はＩＤタグから作業者のＩＤと、着用日付リストを読み込んでコントローラ１０５へ出力し、コントローラ１０５はデータを入力し、着用日数を計算し、超過の場合等には電子鍵１０６に施錠を要求する。【選択図】  図１
2005149103.tif 000002
【特許請求の範囲】
【請求項１】
作業服に取り付けられ、前記作業服の着用日付を格納する記憶部を備えるタグと、
作業者が前記作業服を着用した日付を前記タグの前記記憶部に書き込む、更衣室の出口に設置された第１のリーダ／ライタ部と、
前記タグから前記着用日付を読み込んで出力する、前記作業服を着用した前記作業者が作業を行う部屋の入り口に設置された第２のリーダ／ライタ部と、
前記第２のリーダ／ライタ部から前記着用日付を入力し、前記着用日付および当日の日付から着用日数を計算し、前記着用日数が所定の有効期限を超える場合には”ＮＧ”を出力するコントローラ部と、
前記コントローラ部から“ＮＧ”を入力して警報を出力する警報手段とを具備する
ことを特徴とする作業服管理システム。
【発明の詳細な説明】
【技術分野】
【０００１】
本発明は、食品製造現場において作業員に貸与した作業服の使用状態を管理するための作業服管理システムに関するものである。
【背景技術】
【０００２】
従来の食品製造現場における作業服の管理方法では、作業服の交換は個々の作業者に任されていた。この方法では、規則で毎日作業服を交換することが決められている場合でも、作業者が長期間着用を続ける問題点があった。また、管理者には実際に規則が守られていることを確認する手段がない問題点があった。
また、従来の技術としては、特許文献１および特許文献２に記載されるものが知られている。しかし、これらは衣類の在庫や供給を管理する、あるいは、回収すべき衣類を選別するものである。即ち、洗濯を請け負うクリーニング業界における洗濯物の在庫管理が主な目的であり、作業服の着用期間の超過の防止には有効ではない。
【特許文献１】特開２０００−１３６４０７号公報
【特許文献２】特開２００３−８５４６１号公報
【発明の開示】
【発明が解決しようとする課題】
【０００３】
本発明は上記の事情を考慮してなされたもので、その目的は、食品製造現場における衛生管理のために作業服の着用日数チェックを行うことができる作業服管理システムを提供することにある。
【課題を解決するための手段】
【０００４】
この発明は前述の課題を解決するためになされたもので、請求項１の発明は、作業服に取り付けられ、前記作業服の着用日付を格納する記憶部を備えるタグと、作業者が前記作業服を着用した日付を前記タグの前記記憶部に書き込む、更衣室の出口に設置された第１のリーダ／ライタ部と、前記タグから前記着用日付を読み込んで出力する、前記作業服を着用した前記作業者が作業を行う部屋の入り口に設置された第２のリーダ／ライタ部と、前記第２のリーダ／ライタ部から前記着用日付を入力し、前記着用日付および当日の日付から着用日数を計算し、前記着用日数が所定の有効期限を超える場合には”ＮＧ”を出力するコントローラ部と、前記コントローラ部から“ＮＧ”を入力して警報を出力する警報手段とを具備することを特徴とする作業服管理システムである。
【発明の効果】
【０００５】
請求項１の発明によれば、有効期限を越えた作業服については警報が出力されるため、食品製造現場の管理者が確認を行わなくても、有効期限を越えた作業服を着用した作業者を検知できる効果がある。
【発明を実施するための最良の形態】
【０００６】
以下、この発明の実施の形態を説明する。まず、本実施の形態においては、作業服にはあらかじめ、作業者のＩＤと、作業服の着用日付リストとを記憶部に格納するＩＤタグが縫い付けられているものとする。また、着用日付リストは複数の日付を格納でき、例えば、作業者が２日間、同じ作業服を着た場合には、２個の日付が格納される。また、作業服のクリーニング直後には、ＩＤタグの着用日付リストは初期状態に再設定され、作業者のＩＤには各作業者のＩＤが既に設定されているものとする。ＩＤタグはこれらのデータの格納を行うことができる、書き換え可能なＩＣタグである。
【０００７】
図１はこの発明の実施の形態における作業服管理システムの構成図である。
リーダ／ライタ１０１はＩＤタグの読み込み、書き換え装置であり、ＩＤタグから作業者のＩＤと、作業服の着用日付リストとを読み込んでコントローラ１０２へ出力する。また、コントローラ１０２から今日の日付を入力し、ＩＤタグの着用日付リストに今日の日付を追加して書き込む。さらに、コントローラ１０２から“ＮＧ”を入力した場合には、作業者に対して警報音を出力する。
【０００８】
コントローラ１０２はリーダ／ライタ１０１の管理装置であり、リーダ／ライタ１０１から作業者のＩＤと、作業服の着用日付リストとを入力し、作業者のＩＤを管理パソコン１０３へ出力する。管理パソコン１０３から“ＮＧ”を入力した場合には、リーダ／ライタ１０１へ“ＮＧ”を出力する。また、作業服の着用日付リストの中に今日の日付がない場合には、コントローラ１０２はリーダ／ライタ１０１へ今日の日付を出力する。
【０００９】
管理パソコン１０３は作業者のＩＤの一覧を格納している記憶部を備える。管理パソコン１０３はコントローラ１０２、または、コントローラ１０５から作業者のＩＤを入力し、記憶部の作業者のＩＤの一覧と照合する。作業者のＩＤが記憶部に存在する場合には“ＯＫ”を、作業者のＩＤが見つからない場合には“ＮＧ”をコントローラ１０２、または、コントローラ１０５へ出力する。
【００１０】
リーダ／ライタ１０４はＩＤタグの読み取り装置であり、ＩＤタグから作業者のＩＤと、作業服の着用日付リストとを読み込んでコントローラ１０５へ出力する。また、コントローラ１０５から“ＮＧ”を入力した場合には、作業者に対して警報音を出力する。
【００１１】
コントローラ１０５はリーダ／ライタ１０４の管理装置であり、リーダ／ライタ１０４から作業者のＩＤと、作業服の着用日付リストとを入力し、作業者のＩＤを管理パソコン１０３へ出力する。また、コントローラ１０５は作業服の着用期間超過を検知した場合と、作業服の着用日付リストに今日の日付が含まれていなかった場合と、管理パソコン１０３から“ＮＧ”を入力した場合とにおいては、リーダ／ライタ１０４へ“ＮＧ”を出力し、また、電気錠１０６へ施錠要求を出力する。
電気錠１０６は製造質入り口のドアの施錠装置であり、コントローラ１０５から施錠要求を入力し、ドアをロックする。
【００１２】
次に、図を参照して本実施形態の動作について説明する。本実施の形態においては、作業者が更衣室から出る際の処理と、作業者が製造室に入る際の処理とがある。本実施形態では、作業者が正しい手順で更衣室から退室したことを確認するため、作業者が更衣室から出る際にはＩＤタグの着用日付リストに今日の日付を書き込み、作業者が更衣室から出る際にはＩＤタグの着用日付リストに今日の日付が含まれていることをチェックする。また、作業服の着用有効期間は１日であるものとする。
＜作業者が更衣室から出る際の処理＞
作業者が更衣室から出る際の処理は、作業者が正規の作業服を着用していることと、ＩＤタグの着用日付リストに今日の日付が書き込まれていることとの確認を行い、ＩＤタグの着用日付リストに今日の日付が書き込まれていなかった場合には、ＩＤタグに今日の日付の書き込みを行う。図２は、本実施の形態におけるこの処理の流れを示している。
【００１３】
まず、作業者は更衣室で作業服に着替えた後、作業服のＩＤタグをリーダ／ライタ１０１に接触させ、作業者のＩＤと、作業服の着用日付リストとの読み込みを指示する。リーダ／ライタ１０１は作業者の指示を受け、まず、ＩＤタグから作業者のＩＤと、作業服の着用日付リストとを読み込み、作業者が正規の作業服を着用していることを確認するため、コントローラ１０２へ作業者のＩＤを出力する。コントローラ１０２はリーダ／ライタ１０１からデータを入力し、管理パソコン１０３へ作業者のＩＤを出力する。管理パソコン１０３は、コントローラ１０２からデータを入力し、記憶領域の作業者のＩＤの一覧と照合する。
【００１４】
ここで、ＩＤタグの作業者のＩＤが管理パソコン１０３の作業者のＩＤの一覧に格納されていなかったときには、管理パソコン１０３は作業者が正規の作業服を着用していないものと判断し、“ＮＧ”をコントローラ１０２へ出力し、コントローラ１０２は管理パソコン１０３からデータを入力してリーダ／ライタ１０１へ“ＮＧ”を出力する（ステップＳ２０１）。次に、リーダ／ライタ１０１はデータを入力し、作業者に所定の作業服を着用するように促すため、警報音を出力し、処理を終了する（ステップＳ２０２）。作業者は作業服を着替えて、再度、更衣室からの退室を試みる。
【００１５】
次に、作業者のＩＤの一覧の中にＩＤタグの作業者のＩＤが存在するときには、管理パソコン１０３は作業者が正規の作業服を着用しているものと判断し、“ＯＫ”をコントローラ１０２へ出力する。コントローラ１０２は管理パソコン１０３からデータを入力し、リーダ／ライタ１０１へ“ＯＫ”を出力する（ステップＳ２０１）。
【００１６】
次に、リーダ／ライタ１０１はコントローラ１０２から“ＯＫ”を入力し、引き続いて、ＩＤタグの着用日付リストに今日の日付が含まれていることをチェックするため、ＩＤタグの着用日付リストをコントローラ１０２へ出力する。コントローラ１０２はリーダ／ライタ１０１からデータを入力し、ＩＤタグの着用日付リストの中に今日の日付が含まれているか、チェックする（ステップＳ２０３）。
【００１７】
次に、ＩＤタグの着用日付リストに今日の日付が含まれるとき、即ち、作業者が有効期限内の作業服を着用して何度か更衣室に出入りした場合には、コントローラ１０２はＩＤタグの着用日付リストに今日の日付を追加して書き込む必要はないと判断し、リーダ／ライタ１０１へ“ＯＫ”を出力する（ステップＳ２０３）。リーダ／ライタ１０１はコントローラ１０２からデータを入力し、処理を終了する（ステップＳ２０４）。
【００１８】
あるいは、ＩＤタグの着用日付リストに今日の日付が含まれていなかったとき、即ち、作業者がクリーニング直後の作業服を着用して更衣室を退室する場合には、コントローラ１０２は今日の日付をリーダ／ライタ１０１へ出力する。
次に、リーダ／ライタ１０１はデータを入力し、ＩＤタグの着用日付リストに今日の日付を追加して書き込み（ステップＳ２０５）、処理を終了する（ステップＳ２０４）。
【００１９】
＜作業者が製造室に入る際の処理＞
作業者が製造室に入る際の処理では、作業者が正しい作業服を着用していることの確認と、作業員が正しい手順で更衣室から退室したことの確認と、作業服が有効期限内であることの確認とを行う。図３は、この処理の流れを示している。
【００２０】
まず、作業者は、リーダ／ライタ１０４に作業服のＩＤタグに格納された作業者のＩＤと、作業服の着用日付リストとの読み込みを指示する。リーダ／ライタ１０４は作業者の指示を受け、ＩＤタグから作業者のＩＤと、着用日付リストとを読み込み、作業者が正しい作業服を着用していることの確認のために、作業者のＩＤをコントローラ１０５へ出力する。コントローラ１０５はリーダ／ライタ１０４からデータを入力し、管理パソコン１０３へ作業者のＩＤを出力する。
次に、管理パソコン１０３は、コントローラ１０５からデータを入力し、作業者のＩＤの一覧と照合する。作業者のＩＤの一覧にＩＤタグの作業者のＩＤが存在するときは、管理パソコン１０３は作業者が正しい作業服を着用していると判断し、“ＯＫ”をコントローラ１０５へ出力する。あるいは、管理パソコン１０３の作業者のＩＤの一覧中にＩＤタグの作業者のＩＤがなかったときは、管理パソコン１０３は作業者が正しい作業服を着用していないと判断し、“ＮＧ”をコントローラ１０５へ出力する（ステップＳ３０１）。
【００２１】
ここで、管理パソコン１０３の作業者のＩＤの一覧中にＩＤタグの作業者のＩＤがなかったときは、コントローラ１０５は管理パソコン１０３から“ＮＧ”を入力し、電気錠１０６へ施錠要求を出力する。電気錠１０６はデータを入力し、施錠を行い、コントローラ１０５へ施錠完了を通知する。次に、コントローラ１０５は電気錠１０６からデータを入力し、リーダ／ライタ１０４へ“ＮＧ”を出力する。リーダ／ライタ１０４はコントローラ１０５からデータを入力し、作業者に所定の作業服の着用を促すため、警報音を出力し、処理を終了する（ステップＳ３０２）。作業者は作業服を着替えて、再度、製造室への入室を試みる。
【００２２】
次に、作業者のＩＤの一覧にＩＤタグの作業者のＩＤが存在するときは、コントローラ１０５は管理パソコン１０３から“ＯＫ”を入力し、リーダ／ライタ１０４へ“ＯＫ”を出力する（ステップＳ３０１）。
【００２３】
次に、リーダ／ライタ１０４はデータを入力し、引き続いて、作業者が更衣室から正しい手順で退室したことの確認と、作業服の着用期間の確認とのために、ＩＤタグの着用日付リストをコントローラ１０５へ出力する。
次に、コントローラ１０５はＩＤタグの着用日付リストを読み込んで、ＩＤタグの着用日付リストの中に今日の日付が含まれるか、チェックする。
【００２４】
ここで、ＩＤタグの着用日付リストの中に今日の日付が含まれていないときには、コントローラ１０５は作業者が正しい手順で更衣室から退室していないと判断し（ステップＳ３０３）、電気錠１０６へ施錠要求を出力する。電気錠１０６はデータを入力し、施錠を行い、コントローラ１０５へ施錠完了を通知する。コントローラ１０５は電気錠１０６からデータを入力し、リーダ／ライタ１０４へ“ＮＧ”を出力する。リーダ／ライタ１０４はデータを入力し、作業者に正しい手順での更衣室からの退室を促すため、警報音を出力し、処理を終了する（ステップＳ３０４）。作業者は作業服を着替えて、再度、製造室への入室を試みる。
【００２５】
次に、ＩＤタグの着用日付リストの中に今日の日付が含まれているときには、コントローラ１０５は作業者が正しい手順で更衣室から退室していると判断する（ステップＳ３０３）。
次に、コントローラ１０５は、作業服の着用期間のチェックを行うために、今日の日付と、着用日付リストの中の最も古い日付との差分を計算する。この計算の結果、差分が０日でるときは、コントローラ１０５は、作業服は有効期限である１日以内であると判断し、リーダ／ライタ１０４へ“ＯＫ”を出力する（ステップＳ３０５）。リーダ／ライタ１０４はデータを入力し、例えば、グリーンのランプを点灯するなどの方法で、“入室許可”を作業者に対して通知して処理を終了する（ステップＳ３０７）。作業者は製造室へ入室する。
【００２６】
あるいは、差分が１日以上であったときには、コントローラ１０５は作業服が有効期限を超過したものであると判断し、電気錠１０６へ施錠要求を出力する。電気錠１０６はデータを入力し、施錠を行い、コントローラ１０５へ施錠完了を通知する。コントローラ１０５は電気錠１０６からデータを入力し、リーダ／ライタ１０４へ“ＮＧ”を出力する。リーダ／ライタ１０４はデータを入力し、作業者に有効期限内の作業服に着替えることを要求するため、警報音を出力し、処理を終了する（ステップＳ３０６）。作業者は作業服を着替えて、再度、製造室への入室を試みる。
【００２７】
以上、図面を参照して本発明の実施形態について詳述してきたが、具体的な構成はこれらの実施の形態に限られるものではなく、この発明の要旨を逸脱しない範囲の設計変更等も含まれる。例えば、作業服の有効期限は２日以上であっても良い。このような変更は容易である。
【図面の簡単な説明】
【００２８】
【図１】この発明の実施の形態によるシステムの構成図である。
【図２】この発明の実施の形態における作業者の更衣室からの退室時の処理の流れをあらわすフローチャートである。
【図３】この発明の実施の形態における作業者の製造室への入室時の処理の流れをあらわすフローチャートである。
【符号の説明】
【００２９】
１０１、１０４…リーダ／ライタ
１０２、１０５…コントローラ
１０３…管理パソコン
１０６…電気錠
【図１】
2005149103.tif 000003
【図２】
2005149103.tif 000004
【図３】
2005149103.tif 000005